(57)【要約】【課題】竿管内にスプレー缶を用いて処理剤を噴射して竿管内面に撥水層を形成するに際し、処理剤を速やかに乾燥させて塗りムラをなくし、釣糸放出性を良好にする中通し釣竿用処理用具を提供する。【解決手段】本発明の中通し釣竿用処理用具は、空気を貯留する貯留部３１と、貯留された空気を送り出す送風口３２と、竿管端部領域に当接可能な当接部３３ａとを備え、送風口３２を介して竿管内部に空気を送り出すことを可能にする送風装置３０と、中通し釣竿の竿管内部に挿入可能であり、噴射口を有するノズル５と、ノズルの噴射口５ａから噴射される処理剤を収容した容器本体２と、この容器本体２内の処理剤を噴射口５ａから噴射させる噴射用押圧ボタン３とを備えた処理剤噴射装置１とを有することを特徴とする。【選択図】　　図１
2004113045.tif 000002
【特許請求の範囲】
【請求項１】
空気を貯留する貯留部と、貯留された空気を送り出す送風口と、竿管端部領域に当接可能な当接部とを備え、前記送風口を介して竿管内部に空気を送り出すことを可能にする送風装置と、
中通し釣竿の竿管内部に挿入可能であり、噴射口を有するノズルと、前記ノズルの噴射口から噴射される処理剤を収容した容器本体と、この容器本体内の処理剤を前記噴射口から噴射させる噴射用押圧ボタンとを備えた処理剤噴射装置と、を有することを特徴とする中通し釣竿用処理用具。
【請求項２】
空気を貯留する貯留部と、貯留された空気を送り出す送風口と、竿管端部領域に当接可能な当接部とを有し、前記送風口を介して竿管内部に空気を送り出すことを可能にする中通し釣竿用処理用具。
【請求項３】
前記当接部は、柔軟性部材で構成されていることを特徴とする請求項１又は２に記載の中通し釣竿用処理用具。
【請求項４】
前記当接部は、断面円形で外側が傾斜状に形成されており、竿管の端部開口に嵌合可能であることを特徴とする請求項１乃至３のいずれか１項に記載の中通し釣竿用処理用具。
【発明の詳細な説明】
【０００１】
【発明の属する技術分野】
本発明は、中通し釣竿の内部に撥水処理を施すことを可能にする中通し釣竿用処理用具に関する。
【０００２】
【従来の技術】
中通し釣竿は、外ガイドが装着された釣竿と比べ、使用時に糸絡みが無いことから、船釣りに限られず、磯釣り等においても使用されるようになっている。この中通し釣竿は、釣糸を竿管内部に導入し、先端部から導出する構成のため、水滴等が内部に付着すると、その抵抗により、釣糸の挿通性が悪くなるという問題がある。特に、軽い仕掛けを投擲する磯釣り用の中通し釣竿では、釣糸の挿通性が悪くなると、狙ったポイントに仕掛けを投入し難くなってしまう。
【０００３】
そこで、このような問題を解決するため、例えば、特許文献１には、フッ素系材料のような撥水性を有する材料（以下、処理剤とする）を噴射物質として容器に収容し、細長状のパイプ（噴射ノズル）を介して、竿管内周面に噴射する処理用具（スプレー缶）が開示されている。
【０００４】
上記したスプレー缶を用いて撥水処理を行なう場合、中通し釣竿を竿管毎に分解し、噴射ノズルを竿管内に挿入した状態で噴射ボタンを押し、竿管内部に撥水剤を噴射して、内周面に撥水層を形成する。
【０００５】
【特許文献１】
特開平９−８４４９８号公報（図１）。
【０００６】
【発明が解決しようとする課題】
上記したようなスプレー缶によれば、竿管の内面に処理剤を塗布して撥水層を形成することは可能であるものの、径の細い竿管内部に処理剤を噴射、塗布した場合、竿管中央付近では空気の流れが無いため、撥水剤に含まれる溶剤が気化し難い状態が長時間続いてしまう（溶剤の種類や周辺環境によっては数時間続くことがある）。そのため、内面に塗布された処理剤が重力等によって流動し徐々に乾燥して、完全に乾燥又は硬化又は固化した段階では塗りムラが生じてしまい、本来の撥水性能が発現できないという問題がある。
【０００７】
また、竿管内に長時間滞留する溶剤によって、竿管内面に予め塗布されていた撥水塗装の表面を溶融することがあり、その結果、塗膜が捲れ上がったり剥離したり、更には、剥離物が竿管内面に詰まってしまうことがあり、釣糸の放出性に悪影響を及ぼすこともある。
【０００８】
この発明は、上記した問題に基づいて成されたものであり、竿管内にスプレー缶を用いて処理剤を噴射して竿管内面に撥水層を形成するに際し、処理剤を速やかに乾燥させて塗りムラをなくし、釣糸放出性を良好にする中通し釣竿用処理用具を提供することを目的とする。
【０００９】
【課題を解決するための手段】
上記した目的を達成するために、本発明に係る中通し釣竿用処理用具は、空気を貯留する貯留部と、貯留された空気を送り出す送風口と、竿管端部領域に当接可能な当接部とを備え、前記送風口を介して竿管内部に空気を送り出すことを可能にする送風装置と、中通し釣竿の竿管内部に挿入可能であり、噴射口を有するノズルと、前記ノズルの噴射口から噴射される処理剤を収容した容器本体と、この容器本体内の処理剤を前記噴射口から噴射させる噴射用押圧ボタンとを備えた処理剤噴射装置と、を有することを特徴とする。
【００１０】
上記した構成の中通し釣竿用処理用具によれば、処理剤噴射装置によって竿管内面に処理剤を塗布した後、送風装置によって竿管内部に空気を送り込み、処理剤に含まれる溶剤を速やかに気化させて竿管外部に放出させる。この結果、塗布した処理剤が竿管内面で流動する前に撥水性のある膜がムラのない状態で均一形成されるため、釣糸放出性が良好になる。
【００１１】
また、上記した目的を達成するために、本発明に係る中通し釣竿用処理用具は、空気を貯留する貯留部と、貯留された空気を送り出す送風口と、竿管端部領域に当接可能な当接部とを有し、前記送風口を介して竿管内部に空気を送り出すようにしたことを特徴とする。
【００１２】
【発明の実施の形態】
以下、本発明の実施形態を添付図面に沿って具体的に説明する。
図１は、本発明に係る中通し釣竿用処理用用具の一実施形態を示す図であり、（ａ）は処理剤噴射装置の主要部を示す側面図、（ｂ）は送風装置の構成を示す側面図である。
【００１３】
本実施形態の中通し釣竿用処理用具（以下、処理用具）は、（ａ）に示す処理剤噴射装置１と、（ｂ）に示す送風装置３０とを備えて構成されている。処理剤噴射装置１は、溶剤（ヘプタン、ヘキサン、ＩＰＡ、フッ素系溶剤等）を混入した処理剤と、圧縮ガスや液化ガス等の噴射剤とを収容した容器本体２と、噴射用押圧ボタン３とを備えており、この噴射用押圧ボタン３には、先端に噴射口５ａを有する細長い管状のノズル５が装着されている。この場合、ノズル５は、噴射用押圧ボタン３の噴射口部分３ａに予め取付けられていても良いし、着脱可能に取付けられるものであっても良い。
【００１４】
このような処理剤噴射装置１は、中通し釣竿の竿管の端面から、ノズル５を差し込み、噴射用押圧ボタン３を押圧することで、竿管内面に処理剤の塗膜を形成するようになっている。なお、ノズル５の基端部には、逆噴射防止部材７を装着しておくことが好ましい。この逆噴射防止部材７は、図２に示すように、円形平板状で、中央部にノズル５が挿通される孔７ａが形成されており、前記円形平板状部材の直径は、撥水処理を施す中通し釣竿の竿管の径よりも大きく設定されている。また、逆噴射防止部材７を形成する材料は、金属、合成樹脂等を用いることが可能であるが、容器本体２がぐらついても当て付け状態を維持して隙間が生じ難いように、ゴム、エラストマー、コルク、発泡材、スポンジ等、柔軟性のある材料を用いることが好ましく、この観点から、例えば硬度はＪＩＳ　Ｋ６２５３　デュロメータ硬さ試験タイプＥによる８０度以下のものを用いることが好ましい。
【００１５】
上記した送風装置３０は、柔軟性のある材料、具体的にはゴムによって成形されたエアブロー方式で構成されており、空気取り入れ口（図示せず）から取り入れた空気を貯留する貯留部３１と、貯留された空気を送り出す送風口３２とを備えている。この送風口３２は、竿管の端部に当て付いた状態で竿管内に挿入可能な挿入部３３の先端部に形成されており、貯留部３１を押圧することで、空気を送り出すことができるようになっている。
【００１６】
前記挿入部３３は、径の異なる竿管の端面形状に応じて断面円形に形成され、かつ外周面３３ａが先端に向けて次第に小径化する傾斜面（テーパ状）として形成されている。すなわち、外周面３３ａが竿管端部の縁に当て付いて、挿入部３３が嵌合した状態で竿管内に挿入できるようになっている。
【００１７】
上記したように構成された処理用具の使用方法について説明する。
まず、図３に示すように、竿管１０の内部に処理剤噴射装置１のノズル５を挿入すると共に、竿管の端面に上記逆噴射防止部材７を押し付けて密着させる。そして、この状態で噴射用押圧ボタン３を押すことで、竿管内部に処理剤を噴射する。この場合、竿管の端部は、逆噴射防止部材７によって開口部分が閉塞された状態にあるため、処理剤を竿管内部に噴射しても、加圧霧体が挿入部分から逆噴射することは無く、使用者に噴射物が付着することを防止できる。特に、逆噴射を起こし易い内径が小さい竿管であっても、開口部分を遮蔽するように逆噴射防止部材７を竿管端部に密着することで、使用者の衣服や手に噴射物が付着することを確実に防止することができる。
【００１８】
また、処理剤を無駄に放出することがないため、経済的かつ効率的な作業が行なえ、さらに、逆噴射防止部材７を上記したように柔軟性のある材料で形成することにより、逆噴射防止部材を竿管の端部に押し付け、噴射押圧ボタン３を押す際に容器２がぐらついても、竿管端部と逆噴射防止部材７との間に隙間をでき難くすることができ、逆噴射をより確実に防止することが可能となる。
【００１９】
なお、上記の逆噴射防止部材７は、図４に示すように、ノズル５に着脱自在であり、長手方向に沿って移動自在に構成されていることが好ましい。このような構成によれば、逆噴射防止部材の破損や摩耗に際し、容易に交換できると共に、ノズル５の竿管内挿入長さを調整することができるため、竿管の端部近傍までムラ無く噴射物を塗布し、かつ逆噴射によって衣服や手に噴射物が付着することを防止することができる。
【００２０】
勿論、処理剤噴射装置１には、上記したような逆噴射防止部材７が装着されていない構成であっても良い。
【００２１】
次に、上記した処理剤噴射装置１によって竿管内面に処理剤の塗膜を形成した後、送風装置３０を用いて竿管内に空気を送風する。この場合、挿入部３３の外周面３３ａは、断面円形であることから、竿管の端縁１０ａに圧接して隙間無く当接でき、しかも柔軟性があることから、より密着性の向上が図れ、空気漏れを防止することができ、効率良く空気を送り込むことができる。また、外周面３３ａはテーパ状に形成されていることから、径の異なる竿管にも容易に適用することが可能となる。
【００２２】
そして、上記したように、竿管内に空気が送り込まれると、竿管内に空気の流れが発生し、処理剤に含まれている溶剤が速やかに気化し、竿管外部に放出される。そのため、塗布した処理剤が流動する前に膜を形成することができ、塗りムラの少ない均一な膜が形成され撥水性の耐久性が向上すると共に、膜厚の薄い部分への塩の塊付着や膜が厚くなることによって発生する剥離を防止することができる。
【００２３】
また、処理剤に含まれる溶剤が竿管の内部に滞る時間が短くなるので、素材を傷めたり、予め塗装してある撥水塗装を傷める可能性も減少すると共に、選択できる溶剤の制約も減り、より塗りムラの少ない撥水剤や撥水性能の良い材料を使用することが可能になる。さらに、処理剤の乾燥が短時間で行えるので、釣りの現場で処理剤を塗布することも可能となる。
【００２４】
上記した構成において、処理剤噴射装置１と共に使用される送風装置は、各種形態のものを使用することが可能である。例えば、図５（ａ）（ｂ）に示すように、電動ファン式の送風装置４０としても良い。この送風装置は、本体内に空気を貯留する貯留部４１を有すると共に、貯留部内で回転するファンを配設し、上部取り込み口４２から取り込んだ空気を、テーパ状に形成された挿入部４３の先端に設けた送風口４４から放出するようになっている。この場合、ファンの回転は、スイッチ４５を操作してモータを駆動することでなされる。
【００２５】
図６に示す送風装置５０は、ポンプ式に構成されたものであり、空気を貯留する細長状の貯留部５１にピストン５２を装着し、ピストン５２の圧縮操作によって、貯留部内の空気を、テーパ状に形成された挿入部５３の先端に設けた送風口５４から放出するように構成されたものである。
【００２６】
図７に示す送風装置６０は、シリンジ式に構成されたものであり、空気を貯留する貯留部６１にピストン６２を装着し、ピストン６２の押圧操作によって、貯留部内の空気を、テーパ状に形成された挿入部６３の先端に設けた送風口６４から放出するように構成されたものである。
【００２７】
図８に示す送風装置７０は、足踏みポンプ式に構成されたものであり、空気を貯留する貯留部７１を足踏み操作することで、貯留部内の空気を、管状体７２を介して連結された挿入部７３の先端の送風口７４から放出するように構成されたものである。
【００２８】
上記例示したいずれの送風装置においても、図１に示した構成と同様な作用効果を得ることができる。なお、上記した各送風装置において、挿入部は、竿管端部のいずれかの領域と当接可能で、竿管内部に空気を送風できるように構成されていれば良い。例えば、空気が漏れないように、図１（ｂ）に示したように、テーパ状をなして竿管の端部開口縁に嵌合されるものや、竿管端面に圧接されるもの、或いは細径で単に竿管内部に挿入されるようなものであっても良い。
【００２９】
また、上述した処理剤噴射装置１に装着される逆噴射防止部材は、竿管の端部に当接して開口部分を閉塞できるように構成されていれば、その構成については適宜変形することが可能である。例えば、図に示すように平板状に構成したり、立体的な形状にしても良い。また、そのような逆噴射防止部材は、ノズルの噴射口よりも噴射用押圧ボタン側に設けられていれば良い。
【００３０】
以上、本発明の実施形態について説明したが、上記した各実施形態における送風装置は、処理剤噴射装置と共に一体的に販売されるものであっても良く、それとは別に単体で販売されるものであっても良い。
【００３１】
【発明の効果】
以上のように、本発明の中通し釣竿用処理用具によれば、竿管内にスプレー缶を用いて処理剤を噴射して竿管内面に撥水層を形成するに際し、処理剤を速やかに乾燥させて塗りムラをなくし、釣糸放出性を良好にすることが可能となる。
【図面の簡単な説明】
【図１】本発明に係る中通し釣竿用処理用用具の一実施形態を示す図であり、（ａ）は処理剤噴射装置の主要部を示す側面図、（ｂ）は送風装置の構成を示す側面図。
【図２】図１（ａ）の処理剤噴射装置に用いられる逆噴射防止部材の構成を示す図であり、（ａ）は平面図、（ｂ）は側面図。
【図３】図１（ａ）の処理剤噴射装置の使用状態を示す図。
【図４】逆噴射防止部材の動作を説明する図。
【図５】送風装置の第２実施形態を示す図であり、（ａ）は平面図、（ｂ）は側面図。
【図６】送風装置の第２実施形態を示す図。
【図７】送風装置の第３実施形態を示す図。
【図８】送風装置の第４実施形態を示す図。
【符号の説明】
１　処理剤噴射装置
２　容器本体
３　噴射用押圧ボタン
５　ノズル
５ａ　噴射口
７　逆噴射防止部材
３０，４０，５０，６０，７０　送付装置
【図１】
2004113045.tif 000003
【図２】
2004113045.tif 000004
【図３】
2004113045.tif 000005
【図４】
2004113045.tif 000006
【図５】
2004113045.tif 000007
【図６】
2004113045.tif 000008
【図７】
2004113045.tif 000009
【図８】
2004113045.tif 000010